(57)【要約】【課題】ＩＰ電話サービスの品質条件に則した通信品質制御を実現可能とする呼制御方法及びシステムを提供する。【解決手段】音声通信を確立するためのＩＰ電話網において呼制御を行うＶｏＩＰサーバであるＣＡ（呼制御サーバ：コールエージェント）と、音声データをＩＰパケットとして送受信するＭＧ（メディアゲートウェイ）と、ＩＰアドレス、ラベル又はテーブルに従ってＩＰパケットの交換を行う転送系システム（ルータ、スイッチ等）を使用しているネットワークにおいて、呼と１対１に対応する呼制御補助信号を低レイヤ（レイヤ２もしくはレイヤ３）に埋め込んで、転送系システムにて呼制御補助信号を認識/分析して、次ノードへの接続優先度設定を行う。【選択図】図６
2006050250.tif 000002
【特許請求の範囲】
【請求項１】
音声データをＩＰパケットとして送受信するメディアゲートウェイと、データパケットを送受することにより通話を行う端末間に音声通信を確立するためのコールエージェントを含む呼制御システムと、ルータ等で構成される転送系システムを使用し、VoIPを用いて音声情報を転送し、ＩＰ電話を実現するためのＩＰ電話システム用の呼制御方法であって、
発呼時に端末がＩＰパケットを生成する際にＣプレーン制御及びＵプレーン制御を行う呼制御補助信号をレイヤ３に埋め込むステップと、
前記転送系システムにて前記呼制御補助信号を認識し、該呼制御補助信号に付与されている設定情報を分析して、次ノードへの接続優先度設定を行うステップと、
前記呼制御システムにて信号分析、サービス分析を行い、ＩＰアドレスを設定し、所定の着信先端末へパケットを送信するステップと、
前記設定されたＩＰアドレスと前記呼制御補助信号とに従って前記転送系システムのルータにてルーチングを行うステップと、
を含むことを特徴とするＩＰ電話システム用の呼制御方法。
【請求項２】
前記呼制御補助信号が、呼状態データ、発優先度データ及び着優先度データ部を有し、これらのデータ部に対して発信者の電話番号と着信者の電話番号に応じてそれぞれ呼状態や優先度の値を設定することを特徴とする請求項１に記載のＩＰ電話システム用の呼制御方法。
【請求項３】
前記呼制御補助信号の各データの設定値を、発信者側の端末もしくは該端末と前記転送系システムとの間のゲートウェイ、メディアゲートウェイ、ファイアウオール等にて付与することを特徴とする請求項２に記載のＩＰ電話システム用の呼制御方法。
【請求項４】
前記次ノードへの接続優先度設定を、発信者と着信者の両端末の電話番号にそれぞれ割り当てた優先度割り当て表と、発着組み合わせによる優先度から総合的に決定することを特徴とする請求項１に記載のＩＰ電話システム用の呼制御方法。
【請求項５】
前記呼制御補助信号をＣプレーン制御又はＵプレーン制御の何れか一方のみでの呼制御の補助信号とすることを特徴とする請求項１に記載のＩＰ電話システム用の呼制御方法。
【請求項６】
前記呼制御補助信号をレイヤ２のEtherフレームに埋め込み、前記転送系のルータが前記Etherフレームにおける呼制御補助信号を認識し、その状態によって接続の優先順位を変化させ、次ノードへの接続を実施することを特徴とする請求項１〜５の何れか一項に記載のＩＰ電話システム用の呼制御方法。
【請求項７】
音声データをＩＰパケットとして送受信するメディアゲートウェイと、データパケットを送受することにより通話を行う端末間に音声通信を確立するためのコールエージェントを含む呼制御システムと、ルータ等で構成される転送系システムを使用し、VoIPを用いて音声情報を転送し、ＩＰ電話を実現するためのＩＰ電話システム用の呼制御システムであって、発呼時に端末がＩＰパケットを生成する際にＣプレーン制御及びＵプレーン制御を行う呼制御補助信号をレイヤ３に埋め込み、前記転送系システムが前記呼制御補助信号を認識し、該呼制御補助信号に付与されている設定情報を分析して、次ノードへの接続優先度設定を行い、前記呼制御システムが信号分析、サービス分析を行い、ＩＰアドレスを設定し、所定の着信先端末へパケットを送信し、前記設定されたＩＰアドレスと前記呼制御補助信号とに従って前記転送系システムのルータにてルーチングを行うようにしたことを特徴とするＩＰ電話システム用の呼制御システム。
【請求項８】
前記呼制御補助信号が、呼状態データ、発優先度データ及び着優先度データ部を有し、これらのデータ部に対して発信者の電話番号と着信者の電話番号に応じてそれぞれ呼状態や優先度の値を設定するようにしたことを特徴とする請求項７に記載のＩＰ電話システム用の呼制御システム。
【請求項９】
前記呼制御補助信号の各データの設定値を、発信者側の端末もしくは該端末と前記転送系システムとの間のゲートウェイ、メディアゲートウェイ、ファイアウオール等にて付与するようにしたことを特徴とする請求項７に記載のＩＰ電話システム用の呼制御システム。
【請求項１０】
前記次ノードへの接続優先度設定を、発信者と着信者の両端末の電話番号にそれぞれ割り当てた優先度割り当て表と、発着組み合わせによる優先度から総合的に決定するようにしたことを特徴とする請求項７に記載のＩＰ電話システム用の呼制御システム。
【請求項１１】
前記呼制御補助信号をＣプレーン制御又はＵプレーン制御の何れか一方のみでの呼制御の補助信号としたことを特徴とする請求項７に記載のＩＰ電話システム用の呼制御システム。
【請求項１２】
前記呼制御補助信号をレイヤ２のEtherフレームに埋め込み、前記転送系のルータが前記Etherフレームにおける呼制御補助信号を認識し、その状態によって接続の優先順位を変化させ、次ノードへの接続を実施するように構成したことを特徴とする請求項７〜１１の何れか一項に記載のＩＰ電話システム用の呼制御システム。
【請求項１３】
請求項１に記載の各ステップをコンピュータに実行させる呼制御プログラムであって、呼制御プロトコルによる信号のパケットを受信する処理と、前記受信したパケットの信号を分析する処理と、当該分析により分析結果を生成する処理と、当該分析結果に基づいて前記パケットを転送する処理とをコンピュータに実行させるためのプログラム。
【請求項１４】
請求項１３に記載のプログラムを記録した記録媒体。
【発明の詳細な説明】
【技術分野】
【０００１】
本発明は、VoIP（Voice over IP）のような、呼を確立してデータパケットを送受信することにより通話を行うＩＰ電話システム用の呼制御方法及び呼制御システムに関するものである。
【背景技術】
【０００２】
インターネット等のＩＰネットワークにおいて呼制御プロトコルを用いて音声通信を確立し、音声データをＩＰパケットとして送受信することにより音声通信を可能としたサービスが提供されている。
【０００３】
図１は、呼制御プロトコルとしてＳＩＰ（Session Initiation Protocol）を用いた本発明の背景となる一般的なＩＰ電話システムの概略図である。ここに、ＭＧはＩＰ網及びＰＳＴＮ網のゲートウェイ装置であって、音声データをＩＰパケットとして送受信するメディアゲートウェイであり、ＦＷはファイアウオールである。ＩＰアドレスやラベルやテーブルに従ってＩＰパケットの交換を行う転送系システムはルータ又はスイッチ等により構成され、図の場合にはルータにより構成する場合を示している。呼制御系システムは、加入者の電話番号、ＩＰアドレス、住所等に基づいて呼のルーチングを設定するアドレス情報サーバと、電話番号翻訳並びにルーチング設定を実施するＶｏＩＰサーバであるコールエージェントＣＡにより構成される（ＳＳはＳＩＰサーバであり、ＧＷは自網と他網（図の場合はＰＳＴＮ網）とＩＳＵＰ信号をインタワークするゲートウェイである）。
【０００４】
上述した従来構成のＩＰ電話システムにて、ＩＰ電話の発信者からの要求に応じて、着信先を決定し、音声信号を送受信するためのチャネル（通信回線）を設定したり、切断したりするために、ＩＰ電話で主に利用されているシグナリング・プロトコルには、ＭＧＣＰ，ＭＥＧＡＣＯ，ＳＩＰ等があり、従来のネットワークにおいては呼の認識はこれらシグナリング・プロトコルを用いてＭＧ/ＣＡにおいて制御を行っており、転送系システムでは、呼の認識と云う機能を果たしていない（例えば、非特許文献１参照）。
【０００５】
例えば、図２及び図３はそれぞれＳＩＰ及びＭＥＧＡＣＯのシグナリング・プロトコルを用いる場合における従来の呼制御法による呼接続処理及び切断処理のシーケンスをＩＰ電話システムの構成と一緒に示した図であり、図面中、図１のものに対応するものには同じ参照符号を付して示してある。それぞれの場合における呼接続処理及び切断処理は従来既知であるため、各信号のやり取りについての詳細な説明は省略するが、これらの図から明らかなように、呼の認識はＩＰ電話の発呼パケット（ＳＩＰの場合はINVITE信号、ＭＥＧＡＣＯの場合はNotify 信号）を呼制御系システムにおけるＣＡ又はＭＧＣにおいて認識することから開始され、転送系はパケットを通過させるだけで、「呼」の認識を行っておらず、転送系システムは信号分析には無関与で呼制御を行っている。
【０００６】
また、転送系システムには図４に示すように、１１０/１１９番通報のような緊急連絡等の優先度の高い呼を確立する場合に、Diffserv等を用いてパケット送信の優先制御を行う方法があり、IPv4の場合には、ＩＰパケットのヘッダ内のサービスタイプ（ＴＯＳフィールド）をＤＳフィールドへ再定義し、ＤＳフィールドの値からパケットを各クラスに振り分けて優先制御し、またIPv6の場合には、ＰＨＢより値を収集して優先制御を行うようにしている。しかし、このようなパケット制御方法はＩＰアドレスやＩＰヘッダ内のＴＯＳ値などを参照して制御を行うため、パケット単位での優先・非優先といった制御は可能であったが、ＩＰ電話サービスで規定される優先度がＩＰパケットのＴＯＳ値（サービス種別）とは連動しておらず、呼単位ごとに制御することは不可能であった。
【０００７】
【非特許文献１】千村  保文、村田  利文著、「ＳＩＰ教科書」ＩＤＧジャパン、２００３年４月、ｐｐ．３３-３５
【発明の開示】
【発明が解決しようとする課題】
【０００８】
上述したように、従来の呼の認識および制御は、例えばＳＩＰによるシグナリングでは、一度ＣＡにて発呼パケットを認識することが必要となるため、ＣＡにINVITE信号が到達するまでは呼を認識した状態制御が行えず、例えば多量の呼が発生した場合にＣＡまでの網内では一律のパケット転送とせざるを得ず、転送系システムにおいては優先すべき呼でも他の呼と同等なルーチングを行わざるを得ない状態になっていた。従って、現状では、例えば転送系システムにおいてパケット毎に付与された優先度に基づいてパケットの送出順序制御を行っているが、これはＩＰ電話サービスの優先度とは必ずしも一致しないため、通話中呼のパケットが遅延あるいは廃棄されて音声品質が劣化することが想定される。
【０００９】
そこで、本発明の目的は上述の点に鑑み、通話中呼及び新規の優先呼パケットを優先し、新規の非優先呼パケットを廃棄もしくは一定の割合のみ通過させるという、ＩＰ電話における優先度と一致した制御を行うことを可能とし、通信中のパケットを破棄することはなく、音声品質を保つことが可能なＩＰ電話システム用の呼制御方法及び呼制御システムを提供することにある。
【課題を解決するための手段】
【００１０】
上記の目的を達成するため、請求項１に記載の発明は、音声データをＩＰパケットとして送受信するメディアゲートウェイと、データパケットを送受することにより通話を行う端末間に音声通信を確立するためのコールエージェントを含む呼制御システムと、ルータ等で構成される転送系システムを使用し、VoIPを用いて音声情報を転送し、ＩＰ電話を実現するためのＩＰ電話システム用の呼制御方法であって、
発呼時に端末がＩＰパケットを生成する際にＣプレーン制御及びＵプレーン制御を行う呼制御補助信号をレイヤ３に埋め込むステップと、
前記転送系システムにて前記呼制御補助信号を認識し、該呼制御補助信号に付与されている設定情報を分析して、次ノードへの接続優先度設定を行うステップと、
前記呼制御システムにて信号分析、サービス分析を行い、ＩＰアドレスを設定し、所定の着信先端末へパケットを送信するステップと、
前記設定されたＩＰアドレスと前記呼制御補助信号とに従って前記転送系システムのルータにてルーチングを行うステップと、
を含むことを特徴とするＩＰ電話システム用の呼制御方法にある。
【００１１】
また、請求項２の発明は、請求項１に記載の呼制御方法において、前記呼制御補助信号が、呼状態データ、発優先度データ及び着優先度データ部を有し、これらのデータ部に対して発信者の電話番号と着信者の電話番号に応じてそれぞれ呼状態や優先度の値を設定することを特徴とする。
【００１２】
また、請求項３の発明は、請求項１に記載の呼制御方法において、前記呼制御補助信号の各データの設定値を、発信者側の端末もしくは該端末と前記転送系システムとの間のゲートウェイ、メディアゲートウェイ、ファイアウオール等にて付与することを特徴とする。
【００１３】
また、請求項４の発明は、請求項１に記載の呼制御方法において、前記次ノードへの接続優先度設定を、発信者と着信者の両端末の電話番号にそれぞれ割り当てた優先度割り当て表と、発着組み合わせによる優先度から総合的に決定することを特徴とする。
【００１４】
また、請求項５の発明は、請求項１に記載の呼制御方法において、前記呼制御補助信号をＣプレーン制御又はＵプレーン制御の何れか一方のみでの呼制御の補助信号とすることを特徴とする。
【００１５】
また、請求項６の発明は、請求項１〜５の何れか一項に記載の呼制御方法において、前記呼制御補助信号をレイヤ２のEtherフレームに埋め込み、前記転送系のルータが前記Etherフレームにおける呼制御補助信号を認識し、その状態によって接続の優先順位を変化させ、次ノードへの接続を実施することを特徴とする。
【００１６】
また、請求項７の発明は、音声データをＩＰパケットとして送受信するメディアゲートウェイと、データパケットを送受することにより通話を行う端末間に音声通信を確立するためのコールエージェントを含む呼制御システムと、ルータ等で構成される転送系システムを使用し、VoIPを用いて音声情報を転送し、ＩＰ電話を実現するためのＩＰ電話システム用の呼制御システムであって、発呼時に端末がＩＰパケットを生成する際にＣプレーン制御及びＵプレーン制御を行う呼制御補助信号をレイヤ３に埋め込み、前記転送系システムが前記呼制御補助信号を認識し、該呼制御補助信号に付与されている設定情報を分析して、次ノードへの接続優先度設定を行い、前記呼制御システムが信号分析、サービス分析を行い、ＩＰアドレスを設定し、所定の着信先端末へパケットを送信し、前記設定されたＩＰアドレスと前記呼制御補助信号とに従って前記転送系システムのルータにてルーチングを行うようにしたことを特徴とするＩＰ電話システム用の呼制御システムにある。
【００１７】
また、請求項８の発明は、請求項７に記載の呼制御システムにおいて、前記呼制御補助信号が、呼状態データ、発優先度データ及び着優先度データ部を有し、これらのデータ部に対して発信者の電話番号と着信者の電話番号に応じてそれぞれ呼状態や優先度の値を設定するようにしたことを特徴とする。
【００１８】
また、請求項９の発明は、請求項８に記載の呼制御システムにおいて、前記呼制御補助信号の各データの設定値を、発信者側の端末もしくは該端末と前記転送系システムとの間のゲートウェイ、メディアゲートウェイ、ファイアウオール等にて付与するようにしたことを特徴とする。
【００１９】
また、請求項１０の発明は、請求項７に記載の呼制御システムにおいて、前記次ノードへの接続優先度設定を、発信者と着信者の両端末の電話番号にそれぞれ割り当てた優先度割り当て表と、発着組み合わせによる優先度から総合的に決定するようにしたことを特徴とする。
【００２０】
また、請求項１１の発明は、請求項７に記載の呼制御システムにおいて、前記呼制御補助信号をＣプレーン制御又はＵプレーン制御の何れか一方のみでの呼制御の補助信号としたことを特徴とする。
【００２１】
また、請求項１２の発明は、請求項７〜１１の何れか一項に記載の呼制御システムにおいて、前記呼制御補助信号をレイヤ２のEtherフレームに埋め込み、前記転送系のルータが前記Etherフレームにおける呼制御補助信号を認識し、その状態によって接続の優先順位を変化させ、次ノードへの接続を実施するように構成したことを特徴とする。
【００２２】
また、請求項１３の発明は、請求項１に記載の各ステップをコンピュータに実行させる呼制御プログラムであって、呼制御プロトコルによる信号のパケットを受信する処理と、前記受信したパケットの信号を分析する処理と、当該分析により分析結果を生成する処理と、当該分析結果に基づいて前記パケットを転送する処理とをコンピュータに実行させるためのプログラムにある。
【００２３】
請求項１３の発明は、請求項１２に記載のプログラムを記録した記録媒体にある。
【発明の効果】
【００２４】
本発明によれば、転送系システムで呼と１対１に対応する呼制御補助信号を追加することにより、ＩＰ電話サービスの品質条件に則した通信品質制御を実現することが可能になる。また通話中呼及び新規の優先呼パケットを優先し、新規の非優先呼パケットを廃棄するという、ＩＰ電話における優先度と一致した制御を行うことが可能になるため、通信中のパケットを破棄することはなく、音声品質を保つことが可能となる。
【発明を実施するための最良の形態】
【００２５】
以下、本発明を図面を参照して説明する。
なお、本発明による呼制御方法を適用するＩＰ電話システムの全体の構成は図１に示したものに相当し、図面中、図１のものに対応するものには同じ参照符号を付して示してある。
【００２６】
図５は呼制御システムにおけるシグナリングのためのプロトコルであるＣ（Control）プレーン情報をＩＰヘッダ（レイヤ３）に埋め込んで、呼の状態を認識した制御を行う本発明による呼制御方法の説明図であり、図６は、図５の呼制御方法を用いた優先制御方法の説明図であり、図７はＩＰ電話からのユーザの音声データを転送制御するためのプロトコルであるＵ（Ｕｓｅｒ）プレーン情報をＩＰヘッダ（レイヤ３）に埋め込んで、呼の状態を認識した制御を行う本発明による他の呼制御方法の説明図であり、図８は図７の呼制御方法を用いた優先制御方法の説明図である。
【００２７】
ＩＰパケットで通信する送信データの前にはＩＰヘッダが付与されており、その基本ヘッダには一般に、ＩＰｖ６の場合に図５及び図７に示すように、バージョン、トラヒックス、ペイロード長、次ヘッダ、ホップリミット、送信元アドレス、宛先アドレスなどのパケットが格納され、また拡張ヘッドには、ホップバイホップオプションヘッダ、終点オプションヘッダ、ルーチングヘッダ、フラグメントヘッダ、認証ヘッダ、暗号化ペイロードヘッダ、終点オプションヘッダ、ＴＣＰヘッダ、ＵＤＰヘッダ、ＩＣＭＰヘッダなどのパケットが格納される。
【００２８】
本発明によれば、低レイヤ（レイヤ３、または後述するレイヤ２）における呼制御補助信号により転送系の通話呼意識の実現と通話呼認識を用いた呼制御を行うのであって、呼
と１対１に連動させるためにＩＰヘッダに呼制御の補助が可能なパラメータを追加する。
具体的には、ＩＰｖ６の場合には図５に示すように拡張ヘッダ部に、またＩＰｖ４の場合にはオプションパラメータに呼制御の補助信号部分「呼制御（Ｃ）ヘッダ（仮称）」を制御パラメータとして追加する。
【００２９】
Ｃプレーン制御を行う「呼制御（Ｃ）ヘッダ」は、図５に示すように、「呼状態データ」、「発優先度データ」、「着優先度データ」、「発番号」、「着番号」等のデータ部分を有し、これらの各データ部にはそれぞれ以下の各データを設定可能とする。これらのデータは発信者側の端末もしくはその端末と転送系システム（図１参照）との間のゲートウェイ、メディアゲートウェイ、ファイアウオール等にて付与することができる。
「呼状態データ」は、発信中：０、通話中：１、切断中：２、その他：３、
「発優先度データ」は、最優先：０、優先；１、公衆：２、一般：３、
「着優先度データ」は、最優先：０、優先；１、一般：２、
「発番号」は発信者の電話番号、
「着番号」は着信者の電話番号
をそれぞれ設定可能とする。
【００３０】
また、Ｕプレーン制御を行う「呼制御（Ｕ）ヘッダ（仮称）」も図７に示すように、
「呼状態データ」、「発優先度データ」、「着優先度データ」、「発番号」、「着番号」等のデータ部分を有し、これらの各データ部にはそれぞれ以下の各データを設定可能とする。
「呼状態データ」は、発信中：０、その他：１、
「発優先度データ」は、最優先：０、優先；１、公衆：２、一般：３、
「着優先度データ」は、最優先：０、優先；１、一般：２、
「発番号」は発信者の電話番号、
「着番号」は着信者の電話番号
をそれぞれ設定可能とする。これらのデータも発信者側の端末もしくはその端末と転送系システムとの間のゲートウェイ、メディアゲートウェイ、ファイアウオール等にて付与することができる。
【００３１】
Ｃプレーン制御を行う「呼制御（Ｃ）ヘッダ」をレイヤ３に埋め込んで呼制御を行う場合の図６の優先制御方法は、発信者と着信者別の優先割り当て表と、発着組み合わせによる優先度とから総合的に優先度を決定し、その優先度に基づきパケットを転送するように制御する。この際、通話中呼及び新規の優先呼パケットを優先し、新規の非優先呼パケットを破棄し、また、装置状況や回線使用状況（輻輳、装置負荷）により優先度の低い設定のされた呼制御補助信号のパケットは破棄もしくは一定の割合のみ通過させる。優先度割り当て表は、各発電話番号に対してそれぞれ、最優先：０、優先：１、公衆：２、一般：３として設定し、各着電話番号に対してそれぞれ、最優先：０、一般：１と設定して作成する。発着組み合わせによる優先度は前記発着電話番号に対する設定値の組み合わせにより作成する。
【００３２】
Ｕプレーン制御を行う「呼制御（Ｕ）ヘッダ」をレイヤ３に埋め込んで呼制御を行う場合の図８の優先制御方法も、図６の場合と同様に、発信者と着信者別の優先割り当て表と、発着組み合わせによる優先度とから総合的に優先度を決定し、その優先度に基づきパケットを転送するように制御する。この際にも、装置状況や回線使用状況（輻輳、装置負荷）により優先度の低い設定のされた呼制御補助信号のパケットは破棄もしくは一定の割合のみ通過させる。
【００３３】
次に、拡張ヘッダ部またはオプションヘッダ部に呼制御補助信号として追加した「呼制御（Ｃ）ヘッダ」の各データに前記段落［００２５］の設定を用いた場合の呼制御手順を以下に示す。
１）  ＩＰ電話端末より発呼する。なお、この場合、端末がＶｏＩＰ端末である場合には、発呼時に端末からＳＩＰもしくはＭＥＧＡＣＯの信号を付与し、一般の電話の場合には途中のＰＢＸや中継装置で付与する。
２）  発呼時に端末がＩＰパケットを生成する際に、Ｃプレーン制御を行う呼制御補助信号である「呼制御（Ｃ）ヘッダ」の「呼状態データ」には０を、「発優先度データ」には発信ユーザ毎に割り当てられている値、例えば最優先であれば０を、「着優先度データ」には緊急着信先の１１０/１１９発信の時は０を、一般ユーザに着信させる際は２などを付与する。また、転送制御Ｕプレーン制御を行う呼制御補助信号である「呼制御（Ｕ）ヘッダ」の「呼状態データ」には１を、「発優先度データ」には割り当てられている値、「着優先度データ」には緊急着信先の１１０/１１９発信の時は０を、一般ユーザに着信させる際は２などを付与する。
３）  ＩＰパケットが転送系システムに到達すると、この転送系システムでは「呼制御（Ｃ）ヘッダ」の値を読み取り、そのパケットに付与されている設定情報を分析する。
４）  転送系システムでは「呼制御（Ｃ）ヘッダ」内に設定されている値から必要に応じ優先度設定を行う。
５）  転送システムではさらに、一般に行われているように、ＩＰアドレスやラベルに従いルーチングを行うが、装置状態や回線使用状況により優先度の低い設定のなされた呼制御補助信号のパケットは破棄もしくは一定の割合のみ通過させる。この時、呼制御の優先度の高い補助信号があるため通話中のパケットを破棄することはない。
６）  ＣＡまでパケット転送を行い、ＣＡにて信号分析、サービス分析を行い、ＩＰアドレスを設定し所定の着信先へパケットを送信する。その際に、「呼制御（Ｃ）ヘッダ」を書き換えて送信することもできる。
７）  転送系システムのルータはＣＡにて設定されたＩＰアドレスと「呼制御（Ｃ）ヘッダ」に従いルーチングを行う。
８）  着信先までパケットが到着し、着信端末に呼の接続要求を行う。
９）  接続要求に対しての応答信号には「呼制御（Ｃ）ヘッダ」の「呼制御データ」には１を設定する。他のパラメータはそのままの設定を保ち転送する。
１０）  呼び出し音を着信側より送信する。その際には転送「呼制御（Ｕ）ヘッダ」に、「呼状態データ」は１、「発優先度データ」には割り当てられている値、「着優先度データ」は１１０／１１９発信の時は０、一般ユーザに着信させる際は２などを付与する。
１１）  着信側で端末の受話器を上げ、通信中になった場合、音声パケットには「呼制御（Ｕ）ヘッダ（仮称）」はそのままで通信が終了するまで変更しない。
１２）  受話器を下ろし、通話を終了する際には「呼制御データ」は２とし、切断信号を優先的に転送し、ＣＡで呼接続を終了する。
以上で通話が終了する。
【００３４】
レイヤ３に呼制御の補助信号を追加したが、レイヤ２のEther、ギガビットEtherでもＡＴＭ／ＰＯＳでもよく、その場合は転送系システムにおけるスイッチで呼認識が可能となり、以下ＩＰの時の処理と同様に呼制御の補助が可能である。
【００３５】
図９はＣプレーン制御を行う信号をレイヤ２（Ether、ギガビットEther）に埋め込んで呼の状態を認識した呼制御方法の説明図であり、図１０はＵプレーン制御を行う信号をレイヤ２（Ether、ギガビットEther）に埋め込んで呼の状態を認識した呼制御方法の説明図である。これら双方の場合におけるＣプレーン情報及びＵプレーン情報の各データは図５及び図７の場合と同様に設定する。
【００３６】
「呼制御（Ｃ）ヘッダ」及び「呼制御（Ｕ）ヘッダ」の各データの設定値は端末だけでなく途中のＧＷやＭＧ、ＦＷ等制御対象のＮＷに信号が入る前であればどこで付与してもかまわない。
【００３７】
これらのパラメータは全てであっても良いし、処理の軽減や必要としている制御によって一部のみでもかまわない。また各パラメータ内の値は制御必要な値だけでもかまわない。
【００３８】
「呼制御（Ｃ）ヘッダ」及び「呼制御（Ｕ）ヘッダ」の各データ信号は簡単にするため５種類としているが、さらに状態をもたせるために他の信号を追加しても良いし、５種類の信号全てを１つの呼制御の補助信号に盛り込んでもよい。
【００３９】
「呼制御（Ｃ）ヘッダ」と「呼制御（Ｕ）ヘッダ」の内、どちらか一方のみでの呼制御の補助信号でもよい。
【００４０】
なお、実施例では着側をＰＳＴＮの電話としているが、ＩＰ網内にある電話でもよい。
【００４１】
以上、上述した本発明の手法はコンピュータに実行させることができるプログラムとして、磁気ディスク（フロッピー（登録商標）ディスク、ハードディスク等、光ディスク（ＣＤ-ＲＯＭ、ＤＶＤ半導体メモリなどの記憶媒体に格納して頒布することもできる。
【図面の簡単な説明】
【００４２】
【図１】本発明の背景となるＩＰ電話システムの概略構成図である。
【図２】シグナリングプロトコルとしてＳＩＰを用いる場合における従来の呼制御による呼接続処理及び切断処理のシーケンスをＩＰ電話システムの構成と一緒に示した図である。
【図３】シグナリングプロトコルとしてＭＥＧＡＣＯを用いる場合における従来の呼制御による呼接続処理及び切断処理のシーケンスをＩＰ電話システムの構成と一緒に示した図である。
【図４】Diffservによる従来の呼優先制御方法の説明図である。
【図５】Ｃプレーン制御を行う信号をレイヤ３（ＩＰ）に埋め込んで呼の状態を認識した制御を行う本発明による呼制御方法の説明図である。
【図６】本発明を用いた優先制御方法の説明図である。
【図７】Ｕプレーン制御を行う信号をレイヤ３（ＩＰ）に埋め込んで呼の状態を認識した制御を行う本発明による呼制御方法の説明図である。
【図８】本発明を用いた優先制御方法の他の例の説明図である。
【図９】Ｃプレーン制御を行う信号をレイヤ２（Ether）に埋め込んで呼の状態を認識した制御を行う本発明による呼制御方法の説明図である。
【図１０】Ｕプレーン制御を行う信号をレイヤ２（Ether）に埋め込んで呼の状態を認識した制御を行う本発明による呼制御方法の説明図である。
【符号の説明】
【００４３】
ＣＡ  コールエージェント
ＳＳ  ＳＩＰサーバ
ＧＷ  ゲートウェイ
ＭＧ  メディアゲートウェイ
ＦＷ  ファイアウオール
【図１】
2006050250.tif 000003
【図２】
2006050250.tif 000004
【図３】
2006050250.tif 000005
【図４】
2006050250.tif 000006
【図５】
2006050250.tif 000007
【図６】
2006050250.tif 000008
【図７】
2006050250.tif 000009
【図８】
2006050250.tif 000010
【図９】
2006050250.tif 000011
【図１０】
2006050250.tif 000012